(57)【要約】【課題】果菜類に表示を施す際に深さを制限し、容易に周状の枠付き表示を形成することができる果菜類表面への表示器を提供する。【解決手段】平坦部１２を含む基部１４と、平坦部１２から垂直に突出された周状枠突起部１６であり、周状に連続又は間欠環状に形成され、突出先端側が凹凸を交互に繰り返した周状枠突起部１６と、平坦部１２の周状枠突起部１６よりも内側位置に文字、模様、図形等の表示態様で平坦部１２から垂直に突設された表示用突起部１８と、を備えた果菜類表面部への表示器１０から構成される。【選択図】図１
0003187249.tif 000002
【実用新案登録請求の範囲】
【請求項１】
平坦部を含む基部と、
平坦部から垂直に突出された周状枠突起部であり、周状に連続又は間欠環状に形成され、突出先端側が凹凸を交互に繰り返した周状枠突起部と、
平坦部の周状枠突起部よりも内側位置に文字、模様、図形等の表示態様で平坦部から垂直に突設された表示用突起部と、を備えたことを特徴とする果菜類表面部への表示器。
【請求項２】
平坦部は、所定の外周輪郭を有し、
周状枠突起部は、平坦部の外周輪郭に沿って周状に形成されることを特徴とする請求項１記載の果菜類表面部への表示器。
【請求項３】
表示用突起部は、突出先端側が凹凸を交互に繰り返して形成されたことを特徴とする請求項１又は２記載の果菜類表面部への表示器。
【請求項４】
鍔状に外周に張り出した鍔状平坦部を含み、鍔状平坦部の内側位置が鍔状平坦部と同じ高さの平坦部又は凹部で形成された基部と、
鍔状平坦部の内周輪郭から垂直に突出された周状枠突起部であり、鍔状平坦部の内周輪郭に沿って周状に連続又は間欠環状に形成され、突出先端側が凹凸を交互に繰り返した周状枠突起部と、
文字、模様、図形等の表示が施されるように、基部の周状枠突起部よりも内側位置の平坦部又は凹部で構成される表示部と、を備えたことを特徴とする果菜類表面部への表示器。
【考案の詳細な説明】
【技術分野】
【０００１】
本考案は、果物や野菜等の表面に傷を付けて文字や図形等を表示させるのに利用される果菜類表面部への表示器に関する。
【背景技術】
【０００２】
メロンやスイカ等の果物を贈答品として利用することがあるが、従来、メロン等の果物の表面に文字や模様を付けて、商品価値を高める方法が知られている。例えば、特許文献１には、果物の表皮に文字や模様を付ける方法として、先が鋭い針や刃物で文字等を彫るように傷つけることにより形成させる技術が開示されている。特許文献１では、円弧状の当板に文字や模様等の抜き孔を形成させておき、当板をメロンの表面に当接し、当板に設けた文字や模様等に対応する抜き孔を通じて刃物で傷つけを行って表示を形成していた。
【先行技術文献】
【特許文献】
【０００３】
【特許文献１】特開昭６１−９６９２２号公報
【考案の概要】
【考案が解決しようとする課題】
【０００４】
しかしながら、メロン等の表面に文字等を刃物等で傷つける場合には、果肉まで傷つけないように表皮の肉厚よりも浅い深さで形成する必要があるが、深さを調整にするのは容易でなく果肉まで傷つけてしまうおそれが高かった。さらに、刃物等で文字等を彫るのは高い技術が必要であり、時間もかかる問題があった。
【０００５】
本考案は上記従来の課題に鑑みてなされたものであり、その一つの目的は、果菜類の表面に文字等の傷を付けて表示を形成する際に傷を付ける深さを一定内に制限することができ、簡単、手軽に周状の枠付き表示を形成することができる果菜類表面への表示器を提供することにある。
【課題を解決するための手段】
【０００６】
上記課題を解決するために本考案は、平坦部１２を含む基部１４と、平坦部１２から垂直に突出された周状枠突起部１６であり、周状に連続又は間欠環状に形成され、突出先端側が凹凸を交互に繰り返した周状枠突起部１６と、平坦部１２の周状枠突起部１６よりも内側位置に文字、模様、図形等の表示態様で平坦部１２から垂直に突設された表示用突起部１８と、を備えた果菜類表面部への表示器１０から構成される。
【０００７】
また、平坦部１２は、所定の外周輪郭を有し、周状枠突起部１６は、平坦部１２の外周輪郭に沿って周状に形成されることとしてもよい。
【０００８】
また、表示用突起部１８は、突出先端側が凹凸を交互に繰り返して形成されたこととしてもよい。
【０００９】
また、本考案は、鍔状に外周に張り出した鍔状平坦部３０を含み、鍔状平坦部３０の内側位置が鍔状平坦部３０と同じ高さの平坦部又は凹部４０で形成された基部３２と、鍔状平坦部３０の内周輪郭から垂直に突出された周状枠突起部３４であり、鍔状平坦部３０の内周輪郭に沿って周状に連続又は間欠環状に形成され、突出先端側が凹凸を交互に繰り返した周状枠突起部３４と、文字、模様、図形等の表示が施されるように、基部３２の周状枠突起部３４よりも内側位置の平坦部又は凹部４０で構成される表示部３６と、を備えた果菜類表面部への表示器１０−２から構成される。表示部３６は、空白の表示でもよい。
【考案の効果】
【００１０】
本考案の果菜類表面への表示器によれば、平坦部を含む基部と、平坦部から垂直に突出された周状枠突起部であり、周状に連続又は間欠環状に形成され、突出先端側が凹凸を交互に繰り返した周状枠突起部と、平坦部の周状枠突起部よりも内側位置に文字、模様、図形等の表示態様で平坦部から垂直に突設された表示用突起部と、を備えたことから、簡単、手軽に周状の枠を含む表示を果菜類の表面に形成することができるとともに、周状突起部及び表示用突起部が果菜類に突き刺さる深さを制限して、例えば、果菜類の果肉まで傷つけないようにすることができる。さらに、周状枠突起の先端側が凹凸形成されているので、果菜類の表皮に押し当てて簡単に突き刺しやすく、スムーズに所定の表示を果菜類の表面に形成することができる。また、構造が簡単で低コストで製造できる。
【００１１】
また、平坦部は、所定の外周輪郭を有し、周状枠突起部は、平坦部の外周輪郭に沿って周状に形成される構成とすることにより、果菜類の表面へ表示を形成する際に周状枠突起部が突き刺さっているかどうかを簡単に確認して確実に表示を形成できるとともに、表示器をコンパクト化、軽量化でき、簡単な構成で、低コストで製造できる。
【００１２】
また、表示用突起部は、突出先端側が凹凸を交互に繰り返して形成された構成とすることにより、表示用突起部を果菜類の表面部にスムーズに突き刺すことができ、確実に所定の表示を形成することができる。
【００１３】
さらに、本考案の果菜類表面部への表示器では、鍔状に外周に張り出した鍔状平坦部を含み、鍔状平坦部の内側位置が鍔状平坦部と同じ高さの平坦部又は凹部で形成された基部と、鍔状平坦部の内周輪郭から垂直に突出された周状枠突起部であり、平坦部の内周輪郭に沿って周状に連続又は間欠環状に形成され、突出先端側が凹凸を交互に繰り返した周状枠突起部と、文字、模様、図形等の表示が施されるように、基部の周状枠突起部よりも内側位置の平坦部又は凹部で構成される表示部と、を備えたことから、簡単、手軽に周状の枠を含む表示を果菜類の表面に形成することができるとともに、周状突起部が果菜類に突き刺さる深さを制限して、例えば、果菜類の果肉まで傷つけないようにすることができる。さらに、周状枠突起の先端側が凹凸形成されているので、果菜類の表皮に押し当てて簡単に突き刺しやすく、スムーズに所定の表示を果菜類の表面に形成することができる。また、構造が簡単で低コストで製造できる。
【図面の簡単な説明】
【００１４】
【図１】本考案の第１の実施形態に係る果菜類表面への表示器の斜視図である。
【図２】図１の果菜類表面への表示器の表示面側の説明図である。
【図３】図１の果菜類表面への表示器の側面図である。
【図４】図１の果菜類表面への表示器の作用説明図である。
【図５】図１の果菜類表面への表示器を使用した果物の一例の説明図である。
【図６】果菜類表面への表示器を使用した果物の他の実施形態の表示面側の説明図である。
【図７】本考案の第２の実施形態に係る果菜類表面への表示器の斜視図である。
【図８】図７の果菜類表面への表示器の表示面側の説明である。
【図９】図８の果菜類表面への表示器のＡ−Ａ線断面拡大図である。
【考案を実施するための形態】
【００１５】
以下、添付図面を参照しつつ本考案の果菜類表面への表示器の実施の形態について説明する。本考案の果菜類表面への表示器は、例えば、図５に示すようなスイカ、メロン、マンゴー、ナシ、リンゴ等の果物や野菜類の表面に文字、模様、図形、記号等の表示を傷を付けることにより形成する器具である。図１ないし図５は、本考案の果菜類表面への表示器の第１の実施形態を示している。本実施形態では、果菜類表面への表示器１０は、平坦部１２を含む基部１４と、平坦部１２から垂直に突出された周状枠突起部１６と、平坦部１２から垂直に突設された表示用突起部１８と、を備える。
【００１６】
基部１４は、図１、図２、図３に示すように、一端側に平坦部１２を有しており、使用時に作業者の手又は所定の機械等で保持される基体である。本実施形態では、基部１４は、例えば、硬質の合成樹脂、木、金属等からなり、外周輪郭が円形状の板状部材２０と、板状部材２０の板面の一方側から突設された把持部２２と、が一体的に形成されている。板状部材２０において、把持部２２が形成されていない板面側が平坦部１２となり、この平坦部１２に果菜類表面部へ表示を施すための表示面が構成される。
【００１７】
周状枠突起部１６は、基部１４の平坦部１２から略垂直に突設され、果菜類の表面に周状の傷を付けるための突起である。図１、図２、図３に示すように、本実施形態では、周状枠突起部１６は、平坦部１２の円形状の外周輪郭に沿って周状に連続的に形成されている。周状枠突起部１６は、平坦部１２に接続される突出基部側２４がある程度の高さで連続し、突出先端側が凹凸を交互に繰り返して形成されている。周状枠突起部１６の凸部２６は、先鋭の三角山形状に形成されてそれぞれの凸部の高さは同じ高さとなっている。これにより、周状枠突起部１６の突出先端側を直線状に形成するのに較べて、本実施形態のように凹凸を形成した方が果菜類の表皮に突き刺さりやすくなっており、スムーズかつ確実に周状の枠表示を果菜類表面に形成できるとともに、無理に大きな力を加えなくても形成できることで果菜類が損傷することを防止できる。周状枠突起部１６は、例えば、金属等の硬い素材で形成され、平坦部１２から凸部２６の頂点までの高さが約３ｍｍ程度、肉厚が約０．５ｍｍ程度で設定されている。
【００１８】
表示用突起部１８は、平坦部１２の周状枠突起部１６の内側位置に形成される表示手段であり、平坦部１２から略垂直に突設され、果菜類の表面に任意の表示の傷を付けるための突起である。図１、図２、図３に示すように、表示用突起部１８は、文字、模様、図形、記号等の任意の表示態様で形成されている。本実施形態では、例えば、「ウエノ」の文字を表示するように平坦部１２から突設されている。表示用突起部１８は、周状枠突起部１６と同様に、平坦部１２に接続される突出基部側がある程度の高さで連続し、突出先端側が凹凸を交互に繰り返して形成されている。表示用突起部１８の凸部２６は、先鋭の三角山形状に形成されてそれぞれの凸部の高さは同じ高さとなっている。表示用突起部１８は、例えば、金属等の硬い素材で形成され、平坦部１２から凸部までの高さが約３ｍｍ程度、肉厚が約０．５ｍｍ程度で設定されている。
【００１９】
次に、図４、図５を参照しつつ本実施形態にかかる果菜類表面部への表示器１０の作用について説明する。図４に示すように、例えば、果菜類表示部への表示器１０を利用してスイカＷＭに表示を形成する場合には、基部１４の把持部を手ＨＲで持って周状突起部１６及び表示用突起部１８をスイカＷＭの表面に押圧状に強く当ててそれらの突起部１６、１８をスイカの表皮に突き刺す。なお、スイカＷＭが動かないように表示器とは反対側を手ＨＬで押さえておく。そして、該表示器１０を図の矢印ｒに示すように回すように動かして、突起部を順にスイカＷＭに突き刺して表示を形成する。この際、周状突起部１６及び表示用突起部１８を支持する平坦部１２がスイカＷＭ表面に当たって止まることにより、一定以上の深さまで傷がつくのを防止することができる。例えば、上述のように突出高さを３ｍｍ程度に設定しているので、傷の深さがスイカの表皮の範囲内で収まり内側の果肉まで傷がつくのを防止できる。このようにして、図５に示すように、円形状の周枠の中に文字が刻まれた表示ＥＸをスイカＷＭの表面に簡単に形成することができる。また、周状突起部が周状に連続して形成されていても、先端側の凹凸によりスムーズにスイカ表面部へ突き刺して表示を形成することができる。
【００２０】
なお、果菜類表示部への表示器１０は、手で持って使用する場合に限らない。例えば、果菜類表示部への表示器１０の基部１２をロボットアーム等の機械に保持させ、ロボットアームをプログラムや制御装置等で制御しながら該表示器をスイカ等の果菜類へ押し当てて回し動かして、自動的にスイカ等の果菜類の表面部に表示を施すようにしても良い。さらに、スイカ等をベルトコンベアで移動させながら連続的に表示させることとしてもよい。また、周状枠突起部１６や表示用突起部１８の平坦部１２からの突起の高さや肉厚は任意でよく、対象となる果物や野菜の種類に応じて任意に設計して製作するとよい。また、周状突起部１６は、平坦部１２の外周輪郭に沿って連続したものに限らず間欠環状に形成してもよい。また、平坦部１２の外周輪郭は、任意の形状でよく、例えば、図６（ａ）（ｂ）（ｃ）に示すように、長丸又は楕円形、三角形、四角形でも形状でもよい。なお、図６上の例では、表示用突起部１８は、例えば、寿、祝、福のようにおめでたい意味を表すような文字の表示で突設されている。表示用突起部１８は、文字、図形、模様、記号等それぞれ単独で、又はそれらを任意に組み合わせた表示としてもよく、また、生産者、販売者或いは購入者の希望により自由に表示してもよい。
【００２１】
次に、図７、図８、図９を参照しつつ、本考案の果菜類表面部への表示器の第２の実施の形態を説明する。上記実施形態と同一部材には同一符号を付し、その詳細な説明は省略する。図７、図８、図９に示すように、本実施形態では、果菜類表面部への表示器１０−２は、鍔状平坦部３０を有する基部３２と、鍔状平坦部３０から垂直に突出した周状枠突起部３４と、表示部３６と、を備えている。基部３２は、例えば、硬質の合成樹脂、金属等からなり、一面を開口３８した中空の略半球殻状又はカップ状に形成されている。基部３２の円形状の開口縁の全周にわたって鍔状に外側に張り出して鍔状平坦部３０が形成されている。すなわち、基部３２の鍔状平坦部３０の内側位置は凹部４０となっている。なお、基部３２は、中空体に限らず、板状、ブロック状等、その他任意の構造でもよい。
【００２２】
周状枠突起部３４は、図７、図８、図９に示すように、鍔状平坦部３０の内周輪郭すなわち基部３２の開口３８から該鍔状平坦部３０の平坦面に対して垂直に突出されている。周状枠突起部３４は、鍔状平坦部３０の円形状の内周輪郭に沿って周状に連続に形成されている。さらに、周状枠突起部３４は、上記実施形態の周状枠突起部１６と同様に平坦部１２に接続される突出基部２６側がある程度の高さで周方向に連続し、突出先端側が凹部と三角山形の凸部２８とからなる凹凸を交互に繰り返して形成されている。周状枠突起部１６は、例えば、金属等の硬い素材で形成され、平坦部１２から凸部２６の頂点までの高さが約３ｍｍ程度、肉厚が約０．５ｍｍ程度で設定されている。なお、周状突起部３４は、鍔状平坦部３４の内周輪郭に沿って連続したものに限らず間欠環状に形成してもよい。
【００２３】
表示部３６は、例えば、文字、模様、図形、記号等の所定の表示が施されるように、基部３２の周状枠突起部３４よりも内側位置部分で構成されている。本実施形態では、表示部３６は、基部３２の凹部４０に対応しており、上記実施形態のような文字等に応じた表示用突起部が形成されておらず、空白の表示となっている。表示部３６に対応する部分は、空白の表示のままでもよいし、別途の文字や模様等を表示するための表示器を利用して、空白部分に文字等の表示を形成してもよい。なお、鍔状平坦部３０の内側位置が鍔状平坦部３０と同じ高さで平坦部を形成し、該平坦部に上記実施形態のような文字や図形等の表示用突起部を形成してもよい。
【００２４】
本実施形態の果菜類表面部への表示器１０−２でも、上記実施形態同様に、例えば、基部３２を手で持って、スイカＷＭが動かないように表示器とは反対側を手で押さえておき、周状突起部３４をスイカの表面に押圧状に強く当て、該突起部をスイカの表皮に食い込ませる。そして該表示器１０−２を回すように動かして、突起部を順にスイカＷＭに突き刺して当該表示を形成する。本実施形態では、周状突起部３４をスイカに突き刺す際に、鍔状平坦部３０がスイカＷＭの表面に当たって表示器が止まることにより、周状突起部３４が一定範囲内の深さ、例えば、スイカの表皮の厚さの範囲内の深さとなり、果肉部分まで傷がつくのを防止することができる。また、周状突起部が周状に連続して形成されていても、先端側の凹凸によりスムーズにスイカ表面部へ突き刺して表示を形成することができる。なお、表示器１０−２の周状突起部よる周状の枠表示の内側の空白部分に、別の器具により文字、図形等を表示させてもよい。また、本実施形態でも、基部３２をロボットアーム等に保持させて自動的に表示を形成するようにしてもよい。また、周状枠突起部３４の鍔状平坦部３０からの突起の高さや肉厚は任意でよく、対象となる果物や野菜の種類に応じて任意に設計して製作するとよい。
【００２５】
以上説明した本考案の果菜類表面への表示器は、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案の果菜類表面への表示器は、果物や野菜等の表面部に文字や模様等の表示を鮮明に施すのに利用される。
【符号の説明】
【００２７】
１０、１０−２    果菜類表面部への表示器
１２    平坦部
１４    基部
１６    周状枠突起部
１８    表示用突起部
３０    鍔状平坦部
３２    基部
３４    周状枠突起部
３６    表示部
【図１】
0003187249.tif 000003
【図２】
0003187249.tif 000004
【図３】
0003187249.tif 000005
【図４】
0003187249.tif 000006
【図５】
0003187249.tif 000007
【図６】
0003187249.tif 000008
【図７】
0003187249.tif 000009
【図８】
0003187249.tif 000010
【図９】
0003187249.tif 000011